(57)【特許請求の範囲】
【請求項１】
人体の一部である髪に荷電粒子を供給する荷電粒子供給部と、
前記人体との接触部分に電圧を供給し、前記人体を帯電させる電圧供給部と、
前記人体の一部である髪に蓄えられている前記荷電粒子が前記電圧供給部に放出されるように前記電圧供給部から出力される電圧である出力電圧を変化させる制御部と
を備える髪ケア装置。
【請求項２】
前記制御部は前記電圧供給部が前記出力電圧を出力している時間に応じて前記出力電圧を変化させる
請求項１に記載の髪ケア装置。
【請求項３】
前記制御部は、前記出力電圧を正の電圧である第１の電圧、および、前記第１の電圧よりも低い第２の電圧に周期的に変化させる
請求項２に記載の髪ケア装置。
【請求項４】
前記第２の電圧は正の電圧、負の電圧、対地電圧とほぼ等しい電圧、または、前記対地電圧と同じ電圧である
請求項３に記載の髪ケア装置。
【請求項５】
前記制御部は、前記出力電圧を負の電圧である第３の電圧、および、前記第３の電圧よりも高い第４の電圧に周期的に変化させる
請求項２に記載の髪ケア装置。
【請求項６】
前記第４の電圧は正の電圧、負の電圧、対地電圧とほぼ等しい電圧、または、前記対地電圧と同じ電圧である
請求項５に記載の髪ケア装置。
【請求項７】
前記人体、および、前記人体の一部である髪に与える電荷の正負の組み合わせが異なる複数の動作モードをさらに備え、
前記制御部は前記複数の動作モードの内容に応じて前記出力電圧を変化させる
請求項１〜６のいずれか一項に記載の髪ケア装置。
【請求項８】
前記電圧供給部は、商用電源から供給される電流を双方向に流すことが可能なスイッチング素子と、前記スイッチング素子と直列に接続されるコンデンサと、前記コンデンサから出力される電圧を前記人体との接触部分に供給する電圧供給パネルとを備え、
前記制御部は、前記商用電源の電圧がゼロクロス点を通過してから経過した時間が、前記電圧供給部の出力電圧に基づいて決められた所定の時間を超えたときに前記スイッチング素子をオンに切り替え、前記コンデンサの電圧が前記商用電源の電圧と実質的に一致した後において所定の電圧に達したときに前記スイッチング素子をオフに切り替えることにより、前記電圧供給パネルから前記人体との接触部分に供給される前記出力電圧を所定の電圧に変化させる
請求項１〜７のいずれか一項に記載の髪ケア装置。
【請求項９】
前記制御部は前記出力電圧が前記商用電源の電圧と同じ位相を持つように前記スイッチング素子を制御する
請求項８に記載の髪ケア装置。
【請求項１０】
前記髪ケア装置は、ドライヤー、ヘアーアイロン、または、ヘアブラシである
請求項１〜９のいずれか一項に記載の髪ケア装置。
【請求項１１】
前記荷電粒子供給部は前記荷電粒子を含む帯電微粒子水を放出する
請求項１〜１０のいずれか一項に記載の髪ケア装置。
【発明の詳細な説明】
【技術分野】
【０００１】
本発明は荷電粒子および電圧を人体に供給する髪ケア装置に関する。
【背景技術】
【０００２】
人体の一部である髪に荷電粒子を供給し、髪に潤いを与える髪ケア装置が知られている。その一例である特許文献１の髪ケア装置は、荷電粒子を供給する荷電粒子供給部、および、人体に電圧を供給する電圧供給部を備える。
【０００３】
この髪ケア装置によれば、マイナスの電荷を帯びた荷電粒子であるマイナスイオンが荷電粒子供給部から放出される場合、電圧供給部により人体に正の電圧が与えられる。また、プラスの電荷を帯びた荷電粒子であるプラススイオンが荷電粒子供給部から放出される場合、電圧供給部により人体に負の電圧が与えられる。このように、人体は荷電粒子供給部から供給される荷電粒子とは反対の極性に帯電する。
【０００４】
このため、荷電粒子供給部から供給される荷電粒子が髪に付着しやすくなる。また、荷電粒子は大気を移動する過程において大気中の水分と結合するため、荷電粒子が髪に付着した場合、荷電粒子と結合している水分が併せて髪に付着する。このため、髪に付着した水分により髪に潤いが与えられる。
【先行技術文献】
【特許文献】
【０００５】
【特許文献１】特開２００３−５９６２２号公報
【発明の概要】
【発明が解決しようとする課題】
【０００６】
人体は容量成分を持つため、荷電粒子供給部により荷電粒子が供給される時間が長くなるにつれて、髪に付着する荷電粒子の量が増加する。一方、荷電粒子供給部から供給される電荷と髪に帯電する荷電粒子とは同じ極性を持つため、髪に帯電する荷電粒子の量が多くなるにつれて荷電粒子供給部から供給される荷電粒子が髪に付着しにくくなる。このため、髪ケア装置が使用される時間が長くなるにつれて、荷電粒子とともに新たに髪に付着する水分の量が減少し、髪に付着する水分の量が増加しにくくなる。このため、水分により髪に潤いを与える効果が一定の水準に達した後はそれよりも高い効果が得られにくい。
【０００７】
本発明の目的は、長時間にわたって使用される場合にも髪に付着する水分を増加させることが可能な髪ケア装置を提供することである。
【課題を解決するための手段】
【０００８】
本発明に従う髪ケア装置の一形態は、供給対象に荷電粒子を供給する荷電粒子供給部と、前記供給対象に電圧を供給する電圧供給部と、前記電圧供給部から出力される電圧である出力電圧を変化させる制御部とを備える。
【発明の効果】
【０００９】
上記髪ケア装置によれば、長時間にわたって使用される場合にも髪に付着する水分を増加させることができる。
【図面の簡単な説明】
【００１０】
【図１】は実施の形態のドライヤーの斜視図である。
【図２】は図１のドライヤーの側面図である。
【図３】は図１のＤ３−Ｄ３線に沿う断面図である。
【図４】は図１のドライヤーの内部構造を示す側面図である。
【図５】は図３の電圧供給部が備える電圧供給回路を示す回路図である。
【図６】は図１のドライヤーの第１の動作モードに関するタイムチャートである。
【図７】は図１のドライヤーの第１の動作モードにおいて第１の電圧が出力される期間のタイムチャートである（（ａ）は出力電圧、（ｂ）はスイッチ）。
【図８】は図１のドライヤーの第１の動作モードにおいて第２の電圧が出力される期間のタイムチャートである（（ａ）は出力電圧、（ｂ）はスイッチ）。
【図９】は図１のドライヤーの第２の動作モードに関するタイムチャートである。
【図１０】は図１のドライヤーの第２の動作モードにおいて第３の電圧が出力される場合のタイムチャートである（（ａ）は出力電圧、（ｂ）はスイッチ）。
【図１１】は髪の電圧と使用時間との関係の一例を示すグラフである。
【図１２】は第１の動作モードに関する第１の変形例を示すタイムチャートである。
【図１３】は第１の変形例における第１の電圧が出力される期間のタイムチャートである（（ａ）は出力電圧、（ｂ）はスイッチ）。
【図１４】は第１の動作モードに関する第２の変形例を示すタイムチャートである。
【図１５】は第１の動作モードに関する第３の変形例を示すタイムチャートである。
【図１６】は第２の動作モードに関する第１の変形例を示すタイムチャートである。
【図１７】は第２の動作モードに関する第２の変形例を示すタイムチャートである。
【図１８】は変形例の第３の動作モードに関するタイムチャートである。
【図１９】は変形例の第４の動作モードに関するタイムチャートである。
【図２０】は変形例の第５の動作モードに関するタイムチャートである。
【図２１】は変形例のヘアーアイロンの側面図である。
【図２２】は変形例のヘアブラシの側面図である。
【発明を実施するための形態】
【００１１】
（髪ケア装置が取り得る形態の一例）
〔１〕本発明に従う髪ケア装置の一形態は、供給対象に荷電粒子を供給する荷電粒子供給部と、前記供給対象に電圧を供給する電圧供給部と、前記電圧供給部から出力される電圧である出力電圧を変化させる制御部とを備える。
【００１２】
本髪ケア装置の電圧供給部により供給対象である人体に電圧が供給され、人体が荷電粒子供給部から供給される荷電粒子の極性と反対の極性を持つ場合、荷電粒子が人体に引きつけられる。その荷電粒子が人体の一部である髪に付着した場合、荷電粒子と結合している水分も併せて髪に付着し、付着した水分により髪に潤いが与えられる。
【００１３】
また、髪ケア装置の使用時間が長くなり、髪に多くの荷電粒子が蓄えられていたとしても、制御部が電圧供給部の出力電圧を変化させることにより髪に蓄えられている荷電粒子が電圧供給部に放出される。このとき、荷電粒子とともに髪に付着した水分はその状態を保持するため、荷電粒子が髪から放出されても水分により髪に潤いが与えられた状態が保たれる。
【００１４】
そして、上述のとおり髪から荷電粒子が放出されることにより、髪は荷電粒子供給部から新たに供給される荷電粒子を蓄える余裕を持つ。このため、荷電粒子供給部から新たに供給された荷電粒子が髪に付着する。このため、荷電粒子とともに水分がさらに髪に付着し、髪に付着する水分の量が増加する。このように、本髪ケア装置は長時間にわたって使用される場合にも髪に付着する水分を増加させることができる。
【００１５】
〔２〕前記髪ケア装置の一例によれば、前記制御部は前記電圧供給部が前記出力電圧を出力している時間に応じて前記出力電圧を変化させる。
本髪ケア装置によれば、人体に電圧が供給される時間と人体に蓄えられる電荷の量との相関が予め試験等により確認され、その結果に基づいて出力電圧を変化させる時間が定められる。このため、人体に蓄えられる電荷の量が過度に増加する前に人体の電荷が電圧供給部に放出される。
【００１６】
〔３〕前記髪ケア装置の一例によれば、前記制御部は、前記出力電圧を正の電圧である第１の電圧、および、前記第１の電圧よりも低い第２の電圧に周期的に変化させる。
本髪ケア装置によれば、出力電圧が簡易なパターンに従って制御される。このため、出力電圧を変化させるための制御の内容が簡素化される。また、人体に電圧が供給される時間と人体に蓄えられる電荷の量との相関が予め試験等により確認され、その結果に基づいて出力電圧のパターンが定められる。このため、人体に蓄えられる電荷の量が過度に増加する前に人体の電荷が電圧供給部に放出される。
【００１７】
〔４〕前記髪ケア装置の一例によれば、前記第２の電圧は正の電圧、負の電圧、対地電圧とほぼ等しい電圧、または、前記対地電圧と同じ電圧である。
本髪ケア装置によれば、上記〔３〕により得られる効果と実質的に同様の効果が得られる。
【００１８】
〔５〕前記髪ケア装置の一例によれば、前記制御部は、前記出力電圧を負の電圧である第３の電圧、および、前記第３の電圧よりも高い第４の電圧に周期的に変化させる。
本髪ケア装置によれば、上記〔３〕により得られる効果に準じた効果が得られる。
【００１９】
〔６〕前記髪ケア装置の一例によれば、前記第４の電圧は正の電圧、負の電圧、対地電圧とほぼ等しい電圧、または、前記対地電圧と同じ電圧である。
本髪ケア装置によれば、上記〔５〕により得られる効果と実質的に同様の効果が得られる。
【００２０】
〔７〕前記髪ケア装置の一例によれば、前記供給対象に与える効果が互いに異なる複数の動作モードをさらに備え、前記制御部は前記複数の動作モードの内容に応じて前記出力電圧を変化させる。
【００２１】
本髪ケア装置によれば、髪への荷電粒子の付着しやすさが動作モードに応じて設定される。このため、動作モード毎に髪に付着する荷電粒子および水分の量が調節される。また、個々の動作モードに適した荷電粒子の付着量とその付着量に対応する出力電圧との関係が予め試験等により確認され、その結果に基づいて出力電圧のパターンが定められることにより、各動作モードに適した量の水分を髪に付着させることができる。
【００２２】
〔８〕前記髪ケア装置の一例によれば、前記電圧供給部は、商用電源から供給される電流を双方向に流すことが可能なスイッチング素子と、前記スイッチング素子と直列に接続されるコンデンサと、前記コンデンサから出力される電圧を前記供給対象に供給する電圧供給パネルとを備え、前記制御部は、前記商用電源の電圧がゼロクロス点を通過してから所定の時間が経過したときに前記スイッチング素子をオンに切り替え、前記コンデンサの電圧が前記商用電源の電圧と実質的に一致した後において所定の電圧に達したときに前記スイッチング素子をオフに切り替えることにより、前記電圧供給パネルから前記供給対象に供給される前記出力電圧を所定の電圧に変化させる。
【００２３】
本髪ケア装置によれば、スイッチング素子が制御されることにより、出力電圧が所定の電圧に変化する。このため、上記制御が複数の回路により構成される場合と比較して、髪ケア装置の小型化およびコストの削減の効果が得られる。
【００２４】
〔９〕前記髪ケア装置の一例によれば、前記制御部は前記出力電圧が前記商用電源の電圧と同じ位相を持つように前記スイッチング素子を制御する。
本髪ケア装置によれば、スイッチング素子が制御されることにより、出力電圧が所定の電圧または商用電源の電圧と同じ位相を持つように変化する。このため、上記制御が複数の回路により構成される場合と比較して、髪ケア装置の小型化およびコストの削減の効果が得られる。
【００２５】
〔１０〕前記髪ケア装置の一例によれば、前記髪ケア装置は、ドライヤー、ヘアーアイロン、または、ヘアブラシである。
〔１１〕前記髪ケア装置の一例によれば、前記荷電粒子供給部は前記荷電粒子を含む帯電微粒子水を放出する。
【００２６】
一般に帯電微粒子水は、水分と結合したプラスイオンまたはマイナスイオンと比較して多くの水分を含む。このため、帯電微粒子水が髪に付着することにより、より多くの水分が髪に付着する。このため、髪に潤いを与える効果が一層高められる。
【００２７】
（実施の形態）
図１に示される髪ケア装置の一例であるドライヤー１は、荷電粒子および電圧を供給対象である人体１００（図５参照）に供給する。ドライヤー１は、複数の要素を収容する筒状のハウジング１０、ドライヤー１を使用するユーザーにより握られるグリップ２１、および、ハウジング１０がグリップ２１に対して回転できるようにハウジング１０とグリップ２１とを連結する連結部２２を備える。ドライヤー１はさらに、グリップ２１の端部に接続され、商用電源２（図５参照）から供給される電力を伝達するコード２３を備える。
【００２８】
ドライヤー１はさらに、ドライヤー１の動作を切り替えるために操作される複数の操作部を備える。複数の操作部は、操作位置に応じてドライヤー１の動作が切り替えられるスイッチである第１の操作部３１、ならびに、人体１００の一部である髪に与える効果が互いに異なる動作モードに関するボタンである第２の操作部３２および第３の操作部３３（ともに図２参照）を含む。
【００２９】
第１の操作部３１はグリップ２１の正面に形成される。第１の操作部３１の操作位置が図１に示される最下位置を取る場合、ドライヤー１の電源がオフに設定される。第１の操作部３１の操作位置が最下位置から上方に切り替えられることによりドライヤー１の電源がオンに設定され、その操作位置に応じて髪に供給される風の量および風の温度の少なくとも一方が変更される。
【００３０】
図２に示されるとおり、第２の操作部３２および第３の操作部３３は、ハウジング１０の側面に並べて形成される。第１の操作部３１によりドライヤー１の電源がオンの状態において、第２の操作部３２および第３の操作部３３が機能する。第２の操作部３２が操作されることにより、第２の操作部３２と対応する動作モードが実行される。この動作モードの一例は髪をボリュームアップさせる動作モードである。第３の操作部３３が操作されることにより、第３の操作部３３と対応する動作モードが実行される。この動作モードの一例は髪をボリュームダウンさせる動作モードである。
【００３１】
図３に示されるとおり、ドライヤー１は、ハウジング１０の長手方向における一方の端部に形成される空気吸入口１１、および、ハウジング１０の長手方向における他方の端部に形成される空気放出口１２をさらに備える。空気吸入口１１は、空気中に含まれるほこり等がハウジング１０の内部の空間１０Ａに吸入されることを抑制するフィルター１１Ａにより覆われる。空間１０Ａは空気吸入口１１と空気放出口１２とを連通する筒状の空間である。
【００３２】
ドライヤー１はさらに、空気吸入口１１から吸入した空気により生成した風を空気放出口１２側に供給する送風部４０、空間１０Ａを流れる風を温めるヒーター５０、および、電気的に接続される各構成要素を制御する制御部８０（図４参照）を備える。送風部４０は空気吸入口１１側の空間１０Ａに配置され、ヒーター５０は空気放出口１２側の空間１０Ａに配置される。図４に示される制御部８０はハウジング１０の内部に配置され、商用電源２（図５参照）から供給される電力により各構成要素を制御する。
【００３３】
送風部４０は、回転にともない吸入した空気から風を生成し、その風を空気放出口１２側に供給するファン４１、ファン４１を回転させるモーター４２、および、モーター４２を支持する支持部４３を備える。制御部８０がモーター４２およびヒーター５０を併せて駆動する場合、空間１０Ａを通過する風がヒーター５０により温められ、温風が空気放出口１２から外部に放出される。一方、制御部８０がモーター４２を駆動し、ヒーター５０を駆動しない場合、空間１０Ａを通過する風が温められず、冷風が空気放出口１２から外部に放出される。
【００３４】
ドライヤー１はさらに、髪に荷電粒子を供給する荷電粒子供給部６０、および、人体１００（図５参照）に電圧を供給する電圧供給部７０を備える。
荷電粒子供給部６０はハウジング１０の内部に配置される。荷電粒子供給部６０は、２つの電極を有する放電部６１、高電圧を放電部６１に与える高電圧発生部６３、および、荷電粒子が放出される放出口６４を備える。放電部６１が有する２つの電極は、針状の放電電極、および、放電電極と対向する対向電極（ともに図示略）である。
【００３５】
荷電粒子供給部６０はさらに、放電電極を冷却する冷却部６２を備える。冷却部６２は、冷却面と放熱面とを有し、その冷却面が放電電極に接触するように配置されるペルチェ素子６２Ａ、および、ペルチェ素子６２Ａの放熱面に取り付けられる放熱フィン６２Ｂを備える。
【００３６】
ファン４１から供給される冷風の一部は、放熱フィン６２Ｂが配置される部分を通過して放出口６４から放出される。このため、放熱フィン６２Ｂはペルチェ素子６２Ａの放熱面の熱を放出する。
【００３７】
荷電粒子供給部６０によれば、高電圧発生部６３により生成された正または負の高電圧が放電電極と対向電極との間に与えられることにより、放電電極のまわりにコロナ放電が生じる。また、ペルチェ素子６２Ａの駆動にともない放電電極が冷却されて放電電極の表面に結露が生じることにより、結露水の静電霧化により荷電粒子を含む帯電微粒子水が生成される。
【００３８】
そして、ファン４１から供給される冷風の一部とともに、帯電微粒子水が放出口６４から外部に放出される。なお、高電圧発生部６３から正の電圧が放電部６１に与えられる場合はプラスの電荷を帯びた帯電微粒子水が生成され、高電圧発生部６３から負の電圧が放電部６１に与えられる場合はマイナスの電荷を帯びた帯電微粒子水が生成される。
【００３９】
荷電粒子供給部６０によりプラスの電荷を帯びた帯電微粒子水が髪に供給される場合、髪にプラスの電荷が蓄えられる。一方、荷電粒子供給部６０によりマイナスの電荷を帯びた帯電微粒子水が髪に供給される場合、髪にマイナスの電荷が蓄えられる。また、荷電粒子供給部６０から供給される帯電微粒子水が髪に付着することにより、帯電微粒子水に含まれる水分が髪に供給される。
【００４０】
電圧供給部７０は、複数の電気的素子により構成される電圧供給回路７１（図５参照）、および、電圧供給回路７１により出力される電圧である出力電圧Ｅを人体１００に供給する電圧供給パネル７６を備える。電圧供給パネル７６はグリップ２１の背面に取り付けられる。
【００４１】
図５は電圧供給回路７１の回路構成の一例を示す。
電圧供給回路７１は、商用電源２から供給される電流を双方向に流すことが可能なスイッチング素子であるスイッチ７２、スイッチ７２と直列に接続されるコンデンサ７３、および、複数の抵抗により構成される。スイッチ７２はフォトＭＯＳ（Metal Oxide Semiconductor）リレーにより構成され、制御部８０（図４参照）によりオンおよびオフが切り替えられる。複数の抵抗は、商用電源２とスイッチ７２との間に配置される第１の抵抗７４、および、コンデンサ７３と電圧供給パネル７６との間に配置される第２の抵抗７５を含む。
【００４２】
制御部８０はスイッチ７２を制御することにより、電圧供給部７０から人体１００に出力される出力電圧Ｅを時間に応じて変化させる。制御部８０は、出力電圧Ｅが所定の電圧に変化するようにスイッチ７２を制御する第１のスイッチ制御、および、出力電圧Ｅが商用電源２の電圧と同じ位相を持つようにスイッチ７２を制御する第２のスイッチ制御を記憶している。また、制御部８０は商用電源２の電圧がゼロクロス点を通過したことを検出できるゼロクロス回路（図示略）を備える。
【００４３】
制御部８０は第１のスイッチ制御を実行する場合、商用電源２の電圧がゼロクロス点を通過したことをゼロクロス回路により検出する。次に、制御部８０は商用電源２の電圧がゼロクロス点を通過してから予め決められた所定の時間が経過したときに、スイッチ７２をオンに切り替える。スイッチ７２がオンに切り替えられることにより、商用電源２の電圧がコンデンサ７３に供給され、コンデンサ７３の電圧が商用電源２の電圧と実質的に一致するようになる。なお、スイッチ７２をオンに切り替えてからコンデンサ７３の電圧が商用電源２の電圧と実質的に一致するまでの時間は、電圧供給回路７１に使用されるコンデンサ７３の容量および第１の抵抗７４の大きさにより決まる。
【００４４】
次に、制御部８０はコンデンサ７３の電圧が商用電源２の電圧と実質的に一致するまでの時間が経過した後において所定の電圧に達したときに、スイッチ７２をオフに切り替える。スイッチ７２がオフに切り替えられることにより、スイッチ７２がオンの状態のときにコンデンサ７３に供給された所定の電圧が電圧供給パネル７６から出力される。
【００４５】
このように、制御部８０は電圧供給パネル７６から人体１００に供給される出力電圧Ｅを所定の電圧に変化させる。このため、第１のスイッチ制御によれば、ドライヤー１（図１参照）を使用するユーザーの手が電圧供給パネル７６と接触している場合において、出力電圧Ｅに応じた電荷が人体１００に移動しやすくなる。なお、第１のスイッチ制御が実行されている間、上記の制御が繰り返される。
【００４６】
制御部８０は第２のスイッチ制御を実行する場合、スイッチ７２をオンに保ち続ける。スイッチ７２がオンに保ち続けられることにより、商用電源２の電圧がコンデンサ７３に供給されて、コンデンサ７３の電圧が商用電源２の電圧と実質的に一致するようになる。このため、電圧供給部７０に電力を供給する商用電源２の電圧と同じ電圧が電圧供給パネル７６から出力される。
【００４７】
図５は、商用電源２と接続されるコード２３（図１参照）の差込プラグとコンセントの差込口（ともに図示略）との関係が第１の状態である場合を示す。第１の状態は、地点Ａでアース接続されている状態である。
【００４８】
地点Ａでアース接続される第１の状態では、スイッチ７２がオンに保ち続けられることにより、コンデンサ７３の電圧が商用電源２の電圧と実質的に一致するようになる。そして、対地電圧を中心にほぼ同じ振幅を持つ正弦波電圧が電圧供給パネル７６を介して人体１００に供給されるため、例えば１秒間で測定した出力電圧Ｅの平均電圧が対地電圧とほぼ等しくなる。
【００４９】
一方、コード２３の差込プラグとコンセントの差込口との関係が第１の状態とは反対の状態である第２の状態（図示略）である場合、地点Ｂでアース接続される。地点Ｂでアース接続される第２の状態では、スイッチ７２がオンに保ち続けられることにより地点Ｂで連続的にアース接続されるため、コンデンサ７３の電圧に関わらず電圧供給パネル７６を介して対地電圧と実質的に同じ電圧が供給される。
【００５０】
このため、第１の状態および第２の状態では、電圧供給部７０から対地電圧とほぼ等しい電圧が出力される。一例によれば、電圧供給部７０から０Ｖが出力される。
なお、対地電圧には、商用電源２の地点Ａまたは地点Ｂで接続されるアースの対地電圧、および、人体１００が接地しているアースの対地電圧が存在する。例えば、床等の上では大地に対してアース接続される場所が異なることにより、対地電圧にばらつきが生じることが考えられる。しかし、電圧供給パネル７６を介して人体１００を地点Ａまたは地点Ｂでアース接続することにより、対地電圧にばらつきが生じにくくなる。
【００５１】
このように、地点Ａでアース接続される場合において、制御部８０は電圧供給パネル７６から人体１００に供給される出力電圧Ｅを０Ｖに変化させる。この場合、人体１００に帯電する電圧の平均値が対地電圧とほぼ等しい電圧に変化する。また、地点Ｂでアース接続される場合においても、制御部８０は電圧供給パネル７６から人体１００に供給される出力電圧Ｅを０Ｖに変化させる。この場合、人体１００に帯電する電圧が対地電圧と実質的に同じ電圧に変化する。
【００５２】
このため、第２のスイッチ制御によれば、ドライヤー１を使用するユーザーの手が電圧供給パネル７６と接触している場合において、人体１００に帯電している電荷が電圧供給パネル７６に放出されやすくなる。
【００５３】
図４に示される制御部８０は、人体１００（図５参照）に与える効果が互いに異なる複数の動作モードをさらに記憶している。複数の動作モードは、例えば髪をボリュームアップさせるモードである第１の動作モード、および、髪をボリュームダウンさせるモードである第２の動作モードを含む。制御部８０は各動作モードの内容に応じて出力電圧Ｅを変化させる。
【００５４】
図２に示される第２の操作部３２は第１の動作モードと対応している。このため、第２の操作部３２が操作されることにより制御部８０は第１の動作モードを実行する。また、図２に示される第３の操作部３３は第２の動作モードと対応している。このため、第３の操作部３３が操作されることにより制御部８０は第２の動作モードを実行する。
【００５５】
図６は第１の動作モードにおける出力電圧Ｅの出力態様の一例を示す。
制御部８０は第２の操作部３２が操作されることにより、第１の動作モードを実行する。第１の動作モードが開始された時刻である時刻ｔ１において、制御部８０は第１のスイッチ制御により電圧供給パネル７６から出力される出力電圧Ｅを正の電圧である第１の電圧に変化させる。第１の電圧は例えば商用電源２の電圧における正のピーク値である。第１の動作モードが実行されるとき、荷電粒子供給部６０からマイナスの電荷を帯びた帯電微粒子水が放出される。なお、正の電圧は対地電圧に対してプラスの極性を示す電圧である。
【００５６】
時刻ｔ１から所定の時間が経過した時刻である時刻ｔ２において、制御部８０は第２のスイッチ制御により出力電圧Ｅを第１の電圧よりも低い第２の電圧に変化させる。所定の時間の一例は１０秒である。第２の電圧は例えば０Ｖである。時刻ｔ２から所定の時間が経過した時刻である時刻ｔ３において、制御部８０は出力電圧Ｅを第１の電圧に変化させる。所定の時間の一例は１０秒である。なお、時刻ｔ３以降も第１の動作モードが継続される場合、制御部８０は時刻ｔ１〜ｔ３に実行する処理と同様の処理を繰り返し実行し、出力電圧Ｅを周期的に変化させる。
【００５７】
図７は、第１の動作モードにおいて第１の電圧が出力されるときの出力電圧Ｅと第１のスイッチ制御との関係の一例を示す。なお、図７（ａ）に示される一点鎖線は商用電源２の電圧を示している。
【００５８】
制御部８０は第１の動作モードにおいて出力電圧Ｅを第１の電圧に変化させるとき、第１のスイッチ制御を実行する。図７（ｂ）に示されるとおり、時刻ｔ１Ａにおいて、制御部８０は商用電源２の電圧がゼロクロス点を通過したことをゼロクロス回路により検出する。時刻ｔ１Ａにおいて検出するゼロクロス点は、負の電圧から正の電圧に移行するときに通過するゼロクロス点である。時刻ｔ１Ａから所定の時間が経過した時刻である時刻ｔ２Ａにおいて、制御部８０はスイッチ７２をオンに切り替える。所定の時間は、第１のスイッチ制御により変化させる出力電圧Ｅの値により予め決められる。スイッチ７２がオンに切り替えられることにより、図７（ａ）に示されるとおり出力電圧Ｅが正の方向に高くなり、コンデンサ７３の電圧が商用電源２の電圧に近づけられる。そして、コンデンサ７３の電圧が商用電源２の電圧と実質的に一致するようになる。
【００５９】
図７（ｂ）に示されるとおり、コンデンサ７３の電圧が商用電源２の電圧と実質的に一致した後に所定の電圧に達した時刻である時刻ｔ３Ａにおいて、制御部８０がスイッチ７２をオフに切り替える。スイッチ７２がオフに切り替えられることにより、コンデンサ７３の電圧と商用電源２の電圧とが分岐し、図７（ａ）に示されるとおり出力電圧Ｅが第１の電圧に変化する。
【００６０】
時刻ｔ３Ａ以降において、コンデンサ７３の電圧が電圧供給パネル７６から人体１００に供給されるため、出力電圧Ｅが徐々に０Ｖ側に変化する。このため、第１のスイッチ制御が実行されている間、制御部８０は時刻ｔ１Ａ〜ｔ３Ａに実行する処理と同様の処理を繰り返し実行することにより、出力電圧Ｅを第１の電圧に保持させる。このように、制御部８０は第１のスイッチ制御を実行することにより、第１の動作モードにおいて電圧供給パネル７６から出力される出力電圧Ｅを第１の電圧に変化させる。
【００６１】
図８は、第１の動作モードにおいて０Ｖが出力されるときの出力電圧Ｅと第２のスイッチ制御との関係を示す。
制御部８０は第１の動作モードにおいて出力電圧Ｅを第２の電圧である０Ｖに変化させるとき、第２のスイッチ制御を実行する。図８（ｂ）に示されるとおり、制御部８０は第２のスイッチ制御が実行されている間、スイッチ７２がオンに保ち続けられる。スイッチ７２がオンに保ち続けられることにより、図８（ａ）に示されるとおり出力電圧Ｅが商用電源２の電圧と実質的に一致する。すなわち、対地電圧に対する出力電圧Ｅがほぼ同じ振幅を持つため、出力電圧Ｅがその平均電圧である０Ｖに変化する。このように、制御部８０は第２のスイッチ制御を実行することにより、第１の動作モードにおいて電圧供給パネル７６から出力される出力電圧Ｅを０Ｖに変化させる。
【００６２】
図９は第２の動作モードにおける出力電圧Ｅの出力態様の一例を示す。
制御部８０は第３の操作部３３が操作されることにより、第２の動作モードを実行する。第２の動作モードが開始された時刻である時刻ｔ１１において、制御部８０は第１のスイッチ制御により電圧供給パネル７６から出力される出力電圧Ｅを負の電圧である第３の電圧に変化させる。第３の電圧は例えば商用電源２の電圧における負のピーク値である。第２の動作モードが実行されるとき、荷電粒子供給部６０からプラスの電荷を帯びた帯電微粒子水が放出される。なお、負の電圧は対地電圧に対してマイナスの極性を示す電圧である。
【００６３】
時刻ｔ１１から所定の時間が経過した時刻である時刻ｔ１２において、制御部８０は第２のスイッチ制御により出力電圧Ｅを第３の電圧よりも高い第４の電圧に変化させる。所定の時間の一例は１０秒である。第４の電圧は例えば０Ｖである。時刻ｔ１２から所定の時間が経過した時刻である時刻ｔ１３において、制御部８０は出力電圧Ｅを第３の電圧に変化させる。所定の時間の一例は１０秒である。なお、時刻ｔ１３以降も第２の動作モードが継続される場合、制御部８０は時刻ｔ１１〜ｔ１３に実行する処理と同様の処理を繰り返し実行し、出力電圧Ｅを周期的に変化させる
図１０は、第２の動作モードにおいて第３の電圧が出力されるときの出力電圧Ｅと第１のスイッチ制御との関係の一例を示す。なお、図１０（ａ）に示される一点鎖線は商用電源２の電圧を示している。
【００６４】
制御部８０は第２の動作モードにおいて出力電圧Ｅを第３の電圧に変化させるとき、第１の動作モードにおける第１のスイッチ制御とは別の第１のスイッチ制御を実行する。図１０（ｂ）に示されるとおり、時刻ｔ１Ｂにおいて、制御部８０は商用電源２の電圧がゼロクロス点を通過したことをゼロクロス回路により検出する。時刻ｔ１Ｂにおいて検出するゼロクロス点は、正の電圧から負の電圧に移行するときに通過するゼロクロス点である。時刻ｔ１Ｂから所定の時間が経過した時刻である時刻ｔ２Ｂにおいて、制御部８０はスイッチ７２をオンに切り替える。所定の時間は、第１のスイッチ制御により変化させる出力電圧Ｅの値により予め決められる。スイッチ７２がオンに切り替えられることにより、図１０（ａ）に示されるとおり出力電圧Ｅが負の方向に高くなり、コンデンサ７３の電圧が商用電源２の電圧に近づけられる。そして、コンデンサ７３の電圧が商用電源２の電圧と実質的に一致するようになる。
【００６５】
図１０（ｂ）に示されるとおり、コンデンサ７３の電圧が商用電源２の電圧と実質的に一致した後に所定の電圧に達した時刻である時刻ｔ３Ｂにおいて、制御部８０がスイッチ７２をオフに切り替える。スイッチ７２がオフに切り替えられることにより、コンデンサ７３の電圧と商用電源２の電圧とが分岐し、図１０（ａ）に示されるとおり出力電圧Ｅが第３の電圧に変化する。
【００６６】
時刻ｔ３Ｂ以降において、コンデンサ７３の電圧が電圧供給パネル７６から人体１００に供給されるため、出力電圧Ｅが徐々に０Ｖ側に変化する。このため、第１のスイッチ制御が実行されている間、制御部８０は時刻ｔ１Ｂ〜ｔ３Ｂに実行する処理と同様の処理を繰り返し実行することにより、出力電圧Ｅを第３の電圧に保持させる。このように、制御部８０は第１のスイッチ制御を実行することにより、第２の動作モードにおいて電圧供給パネル７６から出力される出力電圧Ｅを第３の電圧に変化させる。なお、制御部８０は第２の動作モードにおいて出力電圧Ｅを０Ｖに変化させるとき、図８に示される第２のスイッチ制御と同一の第２のスイッチ制御を実行する。
【００６７】
図１１を参照して、ドライヤー１の作用について説明する。
本願発明者は、ドライヤー１および比較例のドライヤーについて、人体１００の一部である髪の電圧とドライヤーが連続して使用される時間である使用時間との関係に関する試験を実施した。なお、図１１の実線がドライヤー１の試験結果を示し、図１１の一点鎖線が比較例のドライヤーの試験結果を示す。
【００６８】
荷電粒子供給部６０からマイナスの電荷を帯びた帯電微粒子水が放出され、電圧供給部７０から０Ｖが出力される比較例のドライヤーについて上記試験が実施された。この試験結果によれば、比較例のドライヤーの使用時間が所定の時間に到達するまでは髪の電圧が使用時間とともに負の方向に高くなる。そして、使用時間が所定の時間を超えた場合、髪の電圧がおおよそ一定の大きさに保持される。これは、使用時間が所定の時間に到達するまでは髪に付着する帯電微粒子水の量が増加し、使用時間が所定の時間を超えて以降は髪に付着する帯電微粒子水の量が実質的に増加していないことを示唆している。
【００６９】
上記試験の結果のとおり、比較例のドライヤーによれば、使用時間が長くなるにつれて帯電微粒子水が髪に付着しにくくなると考えられる。すなわち、帯電微粒子水に含まれる水分も髪に付着しにくくなる。このため、水分により髪に潤いを与える効果が一定の水準に達した後はそれよりも高い効果が得られにくくなる。なお、荷電粒子供給部６０からプラスの電荷を帯びた帯電微粒子水が放出される場合においても同様の課題が存在すると考えられる。
【００７０】
また、第１の動作モードが実行されたときのドライヤー１について上記試験を実施された。この試験結果によれば、電圧供給部７０から人体１００に出力される出力電圧Ｅが第１の電圧であるときに髪の電圧が正の方向に変化し、出力電圧Ｅが０Ｖであるときに髪の電圧が負の方向に変化している。これは、髪の電圧が負の方向に変化している場合に髪に付着する帯電微粒子水の量が増加していることを示唆している。また、髪の電圧が正の方向に変化している場合は、マイナスの電荷を帯びた帯電微粒子水が髪に引き付けられやすくなっていると考えられる。
【００７１】
ドライヤー１によれば、使用時間が長くなり髪に多くの帯電微粒子水が蓄えられたとしても、制御部８０が出力電圧Ｅを変化させることにより髪に蓄えられている帯電微粒子水に含まれる荷電粒子が電圧供給部７０に放出される。このため、髪から荷電粒子が放出されることにより、髪は荷電粒子供給部６０から新たに供給される荷電粒子を蓄える余裕を持つ。このため、上記試験の結果のとおり、ドライヤー１によれば、長時間にわたって使用される場合にも髪に帯電微粒子水が付着し続けると考えられる。
【００７２】
そして、髪から荷電粒子が放出されるとき、帯電微粒子水に含まれる水分はその状態を保持するため、荷電粒子が髪から放出されても水分により髪に潤いが与えられた状態が保たれる。このため、髪に帯電微粒子水がさらに付着することにより、帯電微粒子水に含まれる水分がさらに髪に付着する。このようにドライヤー１によれば、長時間にわたって使用される場合にも髪に付着する水分を増加させることができる。なお、ドライヤー１において第２の動作モードが実行された場合においても同様の効果が得られる。
【００７３】
実施の形態のドライヤー１によれば、さらに以下の効果が得られる。
（１）ドライヤー１によれば、出力電圧Ｅが時間に応じて制御される。このため、出力電圧Ｅを変化させるための制御の内容が簡素化される。また、人体１００に電圧が供給される時間と人体１００に蓄えられる電荷の量との相関が予め試験等により確認され、その結果に基づいて出力電圧Ｅを変化させる時間が定められる。このため、人体１００に蓄えられる電荷の量が過度に増加する前に人体１００の電荷が電圧供給部７０に放出される。
【００７４】
（２）ドライヤー１によれば、各動作モードにおける出力電圧Ｅが簡易なパターンに従って制御される。このため、出力電圧Ｅを変化させるための制御の内容が簡素化される。また、人体１００に電圧が供給される時間と人体１００に蓄えられる電荷の量との相関が予め試験等により確認され、その結果に基づいて出力電圧Ｅのパターンが定められる。このため、人体１００に蓄えられる電荷の量が過度に増加する前に人体１００の電荷が電圧供給部７０に放出される。
【００７５】
（３）ドライヤー１によれば、各動作モードの内容に応じて出力電圧Ｅを変化させる。すなわち、髪への帯電微粒子水の付着しやすさが動作モードに応じて設定される。このため、動作モード毎に髪に付着する帯電微粒子水の量が調節される。また、個々の動作モードに適した帯電微粒子水の付着量とその付着量に対応する出力電圧Ｅとの関係が予め試験等により確認され、その結果に基づいて出力電圧Ｅのパターンが定められることにより、各動作モードに適した量の水分を髪に付着させることができる。
【００７６】
（４）ドライヤー１によれば、スイッチ７２が制御されることにより、出力電圧Ｅが所定の電圧に変化する。このため、上記制御が複数の回路により構成される場合と比較して、ドライヤー１の小型化およびコストの削減の効果が得られる。
【００７７】
（５）ドライヤー１によれば、スイッチ７２が制御されることにより、出力電圧Ｅが所定の電圧または商用電源２の電圧と同じ位相を持つように変化する。このため、上記制御が複数の回路により構成される場合と比較して、ドライヤー１の小型化およびコストの削減の効果が得られる。
【００７８】
（６）一般に帯電微粒子水は、水分と結合したプラスイオンまたはマイナスイオンと比較して多くの水分を含む。このため、帯電微粒子水が髪に付着することにより、より多くの水分が髪に付着する。このため、髪に潤いを与える効果が一層高められる。
【００７９】
（７）ドライヤー１が使用される場合、例えば手櫛等により髪が整えられる。第２の操作部３２が操作されることにより第１の動作モードが実行される場合、制御部８０が電圧供給部７０から人体１００に出力される出力電圧Ｅを第１の電圧と０Ｖとに周期的に変化させる。このため、プラスの電荷が人体１００に帯電しやすくなる。また、第１の動作モードが実行される場合、荷電粒子供給部６０からマイナスの電荷を帯びた帯電微粒子水が放出される。このため、マイナスの電荷が髪に帯電しやすくなる。
【００８０】
一方、髪が手櫛により整えられる場合、人体１００に帯電するプラスの電荷に加えて静電気により髪にプラスの電荷が生じやすくなる。この場合、上記のプラスの電荷と帯電微粒子水により髪に帯電するマイナスの電荷とが相殺し、髪にプラスの電荷が残りやすくなる。このため、髪に生じるプラスの電荷が人体１００の一部である頭皮に帯電するプラスの電荷と反発することにより、髪のボリュームをアップさせることができる。
【００８１】
（８）ドライヤー１が使用される場合、例えば手櫛等により髪が整えられる。第３の操作部３３が操作されることにより第２の動作モードが実行される場合、制御部８０が電圧供給部７０から人体１００に出力される出力電圧Ｅを第３の電圧と０Ｖとに周期的に変化させる。このため、マイナスの電荷が人体１００に帯電しやすくなる。また、第２の動作モードが実行される場合、荷電粒子供給部６０からプラスの電荷を帯びた帯電微粒子水が放出される。このため、プラスの電荷が髪に帯電しやすくなる。
【００８２】
一方、髪が手櫛により整えられる場合、帯電微粒子水により髪に帯電するプラスの電荷に加えて静電気により髪にプラスの電荷が生じやすくなる。この場合、上記のプラスの電荷と人体１００に帯電するマイナスの電荷とが相殺し、髪にプラスの電荷が残りやすくなる。このため、髪に生じるプラスの電荷が人体１００の一部である頭皮に帯電するマイナスの電荷に引き寄せられることにより、髪のボリュームをダウンさせることができる。
【００８３】
（変形例）
実施の形態に関する説明は本発明に従う髪ケア装置が取り得る形態の例示であり、その形態を制限することを意図していない。本発明に従う髪ケア装置は実施の形態以外に例えば以下に示される実施の形態の変形例、および、相互に矛盾しない少なくとも２つの変形例が組み合わせられた形態を取り得る。
【００８４】
・変形例の制御部８０によれば、第１の動作モードに代えて第１の変形例の第１の動作モードが実行される。
図１２は第１の変形例の第１の動作モードにおける出力電圧Ｅの出力態様を示す。
【００８５】
第１の動作モードが開始された時刻である時刻ｔ２１において、制御部８０は第１のスイッチ制御により電圧供給パネル７６から出力される出力電圧Ｅを正の電圧である第１の電圧に変化させる。第１の電圧は例えば商用電源２の電圧における正のピークの中間値である。
【００８６】
時刻ｔ２１から所定の時間が経過した時刻である時刻ｔ２２において、制御部８０は第２のスイッチ制御により出力電圧Ｅを第１の電圧よりも低い第２の電圧に変化させる。所定の時間の一例は１０秒よりも長い時間である。第２の電圧は例えば０Ｖである。時刻ｔ２２から所定の時間が経過した時刻である時刻ｔ２３において、制御部８０は出力電圧Ｅを第１の電圧に変化させる。所定の時間の一例は１０秒よりも短い時間である。なお、時刻ｔ２３以降も第１の動作モードが継続される場合、制御部８０は時刻ｔ２１〜ｔ２３に実行する処理と同様の処理を繰り返し実行し、出力電圧Ｅを周期的に変化させる。
【００８７】
図１３は、第１の変形例の第１の動作モードにおいて第１の電圧が出力されるときの出力電圧Ｅと第１のスイッチ制御との関係を示す。なお、図１３（ａ）の一点鎖線は商用電源２の電圧を示している。
【００８８】
制御部８０は第１の動作モードにおいて出力電圧Ｅを第１の電圧に変化させるとき、第１のスイッチ制御を実行する。図１３（ｂ）に示されるとおり、時刻ｔ１Ｃにおいて、制御部８０は商用電源２の電圧がゼロクロス点を通過したことをゼロクロス回路により検出する。時刻ｔ１Ｃにおいて検出するゼロクロス点は、負の電圧から正の電圧に移行するときに通過するゼロクロス点である。時刻ｔ１Ｃから所定の時間が経過した時刻である時刻ｔ２Ｃにおいて、制御部８０はスイッチ７２をオンに切り替える。所定の時間は、第１のスイッチ制御により変化させる出力電圧Ｅの値により予め決められる。スイッチ７２がオンに切り替えられることにより、図１３（ａ）に示されるとおり出力電圧Ｅが正の方向に低くなり、コンデンサ７３の電圧が商用電源２の電圧に近づけられる。そして、コンデンサ７３の電圧が商用電源２の電圧と実質的に一致するようになる。
【００８９】
図１３（ｂ）に示されるとおり、コンデンサ７３の電圧が商用電源２の電圧と実質的に一致した後に所定の電圧に達した時刻である時刻ｔ３Ｃにおいて、制御部８０がスイッチ７２をオフに切り替える。スイッチ７２がオフに切り替えられることにより、コンデンサ７３の電圧と商用電源２の電圧とが分岐し、図１３（ａ）に示されるとおり出力電圧Ｅが第１の電圧に変化する。
【００９０】
時刻ｔ３Ｃ以降において、コンデンサ７３の電圧が電圧供給パネル７６から人体１００に供給されるため、出力電圧Ｅが徐々に０Ｖ側に変化する。このため、第１のスイッチ制御が実行されている間、制御部８０は時刻ｔ１Ｃ〜ｔ３Ｃに実行する処理と同様の処理を繰り返し実行することにより、出力電圧Ｅを第１の電圧に保持させる。このように、制御部８０は第１のスイッチ制御を実行することにより、第１の動作モードにおいて電圧供給パネル７６から出力される出力電圧Ｅを第１の電圧に変化させる。
【００９１】
なお、第１の変形例の第１の動作モードによれば、時刻ｔ３Ｃが商用電源２の電圧が正の方向に向かうときの時刻に設定されているが、商用電源２の電圧が負の方向に向かうときの時刻に設定されてもよい。
【００９２】
・変形例の制御部８０によれば、第１の動作モードに代えて第２の変形例の第１の動作モードが実行される。
図１４は第２の変形例の第１の動作モードにおける出力電圧Ｅの出力態様を示す。
【００９３】
第１の動作モードが開始された時刻である時刻ｔ３１において、制御部８０は第１のスイッチ制御により電圧供給パネル７６から出力される出力電圧Ｅを正の電圧である第１の電圧に変化させる。第１の電圧は例えば商用電源２の電圧における正のピーク値である。
【００９４】
時刻ｔ３１から所定の時間が経過した時刻である時刻ｔ３２において、制御部８０は第１のスイッチ制御により出力電圧Ｅを第１の電圧よりも低い第２の電圧に変化させる。所定の時間の一例は１０秒である。第２の電圧は例えば商用電源２の電圧における負のピーク値である。時刻ｔ３２から所定の時間が経過した時刻である時刻ｔ３３において、制御部８０は出力電圧Ｅを第１の電圧に変化させる。所定の時間の一例は１０秒よりも短い時間である。なお、時刻ｔ３３以降も第１の動作モードが継続される場合、制御部８０は時刻ｔ３１〜ｔ３３に実行する処理と同様の処理を繰り返し実行し、出力電圧Ｅを周期的に変化させる。
【００９５】
・変形例の制御部８０によれば、第１の動作モードに代えて第３の変形例の第１の動作モードが実行される。
図１５は第３の変形例の第１の動作モードにおける出力電圧Ｅの出力態様を示す。
【００９６】
第１の動作モードが開始された時刻である時刻ｔ４１において、制御部８０は第２のスイッチ制御により電圧供給パネル７６から出力される出力電圧Ｅを正の電圧である第１の電圧よりも低い第２の電圧に変化させる。第１の電圧は例えば商用電源２の電圧における正のピーク値である。第２の電圧は例えば０Ｖである。
【００９７】
時刻ｔ４１から所定の時間が経過した時刻である時刻ｔ４２において、制御部８０は第１のスイッチ制御により出力電圧Ｅを第１の電圧に変化させる。所定の時間の一例は１０秒である。なお、時刻ｔ４２以降も第１の動作モードが継続される場合、制御部８０は出力電圧Ｅを第１の電圧に維持する。
【００９８】
・変形例の制御部８０によれば、第１の動作モードに代えて第４の変形例の第１の動作モードが実行される。第４の変形例の第１の動作モードによれば、図６に示される第１の動作モードにおける時刻ｔ２において、制御部８０は出力電圧Ｅを第１の電圧よりも低い正の電圧である第２の電圧に変化させる。
【００９９】
・変形例の制御部８０によれば、第２の動作モードに代えて第１の変形例の第２の動作モードが実行される。
図１６は第１の変形例の第２の動作モードにおける出力電圧Ｅの出力態様を示す。
【０１００】
第２の動作モードが開始された時刻である時刻ｔ５１において、制御部８０は第１のスイッチ制御により電圧供給パネル７６から出力される出力電圧Ｅを負の電圧である第３の電圧に変化させる。第３の電圧は例えば商用電源２の電圧における負のピークの中間値である。
【０１０１】
時刻ｔ５１から所定の時間が経過した時刻である時刻ｔ５２において、制御部８０は第２のスイッチ制御により出力電圧Ｅを第３の電圧よりも高い第４の電圧に変化させる。所定の時間の一例は１０秒よりも長い時間である。第４の電圧は例えば０Ｖである。時刻ｔ５２から所定の時間が経過した時刻である時刻ｔ５３において、制御部８０は出力電圧Ｅを第３の電圧に変化させる。所定の時間の一例は１０秒よりも短い時間である。なお、時刻ｔ５３以降も第２の動作モードが継続される場合、制御部８０は時刻ｔ５１〜ｔ５３に実行する処理と同様の処理を繰り返し実行し、出力電圧Ｅを周期的に変化させる。
【０１０２】
・変形例の制御部８０によれば、第２の動作モードに代えて第２の変形例の第２の動作モードが実行される。
図１７は第２の変形例の第２の動作モードにおける出力電圧Ｅの出力態様を示す。
【０１０３】
第２の動作モードが開始された時刻である時刻ｔ６１において、制御部８０は第１のスイッチ制御により電圧供給パネル７６から出力される出力電圧Ｅを負の電圧である第３の電圧に変化させる。第３の電圧は例えば商用電源２の電圧における負のピーク値である。
【０１０４】
時刻ｔ６１から所定の時間が経過した時刻である時刻ｔ６２において、制御部８０は第１のスイッチ制御により出力電圧Ｅを第３の電圧よりも高い第４の電圧に変化させる。所定の時間の一例は１０秒である。第４の電圧は例えば商用電源２の電圧における正のピーク値である。時刻ｔ６２から所定の時間が経過した時刻である時刻ｔ６３において、制御部８０は出力電圧Ｅを第３の電圧に変化させる。所定の時間の一例は１０秒よりも短い時間である。なお、時刻ｔ６３以降も第２の動作モードが継続される場合、制御部８０は時刻ｔ６１〜ｔ６３に実行する処理と同様の処理を繰り返し実行し、出力電圧Ｅを周期的に変化させる。
【０１０５】
・変形例の制御部８０によれば、第２の動作モードに代えて第３の変形例の第２の動作モードが実行される。第３の変形例の第２の動作モードによれば、図９に示される第２の動作モードにおける時刻ｔ１２において、制御部８０は出力電圧Ｅを第３の電圧よりも高い負の電圧である第４の電圧に変化させる。
【０１０６】
・変形例の制御部８０によれば、第１の動作モードおよび第２の動作モードの少なくとも一方に代えてまたは各動作モードに加えて、第３の動作モードが記憶される。
図１８は第３の動作モードにおける出力電圧Ｅの出力態様を示す。
【０１０７】
第３の動作モードが開始された時刻である時刻ｔ７１において、制御部８０は第１のスイッチ制御により電圧供給パネル７６から出力される出力電圧Ｅを正の電圧である第１の電圧に変化させる。第１の電圧は例えば商用電源２の電圧における正のピーク値である。第３の動作モードが実行されるとき、荷電粒子供給部６０からプラスの電荷を帯びた帯電微粒子水、マイナスの電荷を帯びた帯電微粒子水、または、その両方が放出される。
【０１０８】
時刻ｔ７１から所定の時間が経過した時刻である時刻ｔ７２において、制御部８０は第１のスイッチ制御により出力電圧Ｅを第１の電圧よりも低い第２の電圧に変化させる。所定の時間の一例は１０秒である。第２の電圧は例えば商用電源２の電圧における負のピーク値である。時刻ｔ７２から所定の時間が経過した時刻である時刻ｔ７３において、制御部８０は出力電圧Ｅを第１の電圧に変化させる。所定の時間の一例は１０秒である。なお、時刻ｔ７３以降も第３の動作モードが継続される場合、制御部８０は時刻ｔ７１〜ｔ７３に実行する処理と同様の処理を繰り返し実行し、出力電圧Ｅを周期的に変化させる。
【０１０９】
・変形例の制御部８０によれば、第１の動作モードおよび第２の動作モードの少なくとも一方に代えてまたは各動作モードに加えて、第４の動作モードが記憶される。
図１９は第４の動作モードにおける出力電圧Ｅの出力態様を示す。
【０１１０】
第４の動作モードが開始された時刻である時刻ｔ８１において、制御部８０は第１のスイッチ制御により電圧供給パネル７６から出力される出力電圧Ｅを正の電圧である第１の電圧に変化させる。第１の電圧は例えば商用電源２の電圧における正のピーク値である。第４の動作モードが実行されるとき、荷電粒子供給部６０からプラスの電荷を帯びた帯電微粒子水、マイナスの電荷を帯びた帯電微粒子水、または、その両方が放出される。
【０１１１】
時刻ｔ８１から所定の時間が経過した時刻である時刻ｔ８２において、制御部８０は第２のスイッチ制御により出力電圧Ｅを第１の電圧よりも低い第２の電圧に変化させる。第２の電圧は例えば０Ｖである。時刻ｔ８２から所定の時間が経過した時刻である時刻ｔ８３において、制御部８０は第１のスイッチ制御により出力電圧Ｅを負の電圧である第３の電圧に変化させる。第３の電圧は例えば商用電源２の電圧における負のピーク値である。時刻ｔ８３から所定の時間が経過した時刻である時刻ｔ８４において、制御部８０は第２のスイッチ制御により出力電圧Ｅを第２の電圧に変化させる。時刻ｔ８４から所定の時間が経過した時刻である時刻ｔ８５において、制御部８０は第１のスイッチ制御により出力電圧Ｅを第１の電圧に変化させる。時刻ｔ８１〜ｔ８５に関する所定の時間の一例は１０秒である。なお、時刻ｔ８５以降も第４の動作モードが継続される場合、制御部８０は時刻ｔ８１〜ｔ８５に実行する処理と同様の処理を繰り返し実行し、出力電圧Ｅを周期的に変化させる。
【０１１２】
・変形例の制御部８０によれば、第１の動作モードおよび第２の動作モードの少なくとも一方に代えてまたは各動作モードに加えて、第５の動作モードが記憶される。
図２０は第５の動作モードにおける出力電圧Ｅの出力態様を示す。
【０１１３】
第５の動作モードが開始された時刻である時刻ｔ９１において、制御部８０は第１のスイッチ制御により電圧供給パネル７６から出力される出力電圧Ｅを正の電圧である第１の電圧に変化させる。第１の電圧は例えば商用電源２の電圧における正のピーク値である。第５の動作モードが実行されるとき、荷電粒子供給部６０からプラスの電荷を帯びた帯電微粒子水、マイナスの電荷を帯びた帯電微粒子水、または、その両方が放出される。
【０１１４】
時刻ｔ９１から所定の時間が経過した時刻である時刻ｔ９２において、制御部８０は第２のスイッチ制御により出力電圧Ｅを第１の電圧よりも低い第２の電圧に変化させる。第２の電圧は例えば０Ｖである。時刻ｔ９２から所定の時間が経過した時刻である時刻ｔ９３において、制御部８０は第１のスイッチ制御により出力電圧Ｅを負の電圧である第３の電圧に変化させる。第３の電圧は例えば商用電源２の電圧における負のピーク値である。時刻ｔ９３から所定の時間が経過した時刻である時刻ｔ９４において、制御部８０は第２のスイッチ制御により出力電圧Ｅを第２の電圧に変化させる。時刻ｔ９４から所定の時間が経過した時刻である時刻ｔ９５において、制御部８０は第１のスイッチ制御により出力電圧Ｅを第３の電圧に変化させる。時刻ｔ９５から所定の時間が経過した時刻である時刻ｔ９６において、制御部８０は第２のスイッチ制御により出力電圧Ｅを第２の電圧に変化させる。時刻ｔ９６から所定の時間が経過した時刻である時刻ｔ９７において、制御部８０は第１のスイッチ制御により出力電圧Ｅを第１の電圧に変化させる。時刻ｔ９１〜ｔ９７に関する所定の時間の一例は１０秒である。なお、時刻ｔ９７以降も第４の動作モードが継続される場合、制御部８０は時刻ｔ９１〜ｔ９７に実行する処理と同様の処理を繰り返し実行し、出力電圧Ｅを周期的に変化させる。
【０１１５】
・ドライヤー１を使用するユーザーによって、髪の長さ、毛量、および、髪の傷み度合等が異なる。このため、人体１００の帯電しやすさがユーザー毎に異なることが考えられる。変形例の制御部８０は、人体１００の帯電状態に関する情報を検出する検出機構をさらに備える。制御部８０は検出機構により検出された情報に基づいて、各動作モードにおける出力電圧Ｅを変化させる。このため、ユーザー毎に適した電圧を人体１００に供給することができる。
【０１１６】
・変形例の制御部８０によれば、第１の動作モードおよび第２の動作モードの少なくとも一方に代えてまたは各動作モードに加えて、１つまたは複数の別の動作モードが記憶される。複数の別の動作モードは例えば髪に供給される風の量および風の温度の少なくとも一方が互いに異なる動作モードである。制御部８０は別の各動作モードの内容に応じて出力電圧Ｅを変化させる。
【０１１７】
・変形例の電圧供給部７０は電圧供給回路７１に代えて別の電圧供給回路を備える。別の電圧供給回路は、正の電圧である第１の電圧を出力できる第１の回路、商用電源２の電圧である第２の電圧を出力できる第２の回路、負の電圧である第３の電圧を出力できる第３の回路、および、各回路と電圧供給パネル７６との接続が切り替えられるスイッチを備える。
【０１１８】
・変形例の電圧供給部７０によれば、スイッチ７２がフォトＭＯＳリレーに代えてフォトカプラにより構成される。
・変形例の荷電粒子供給部６０によれば、プラスの電荷を帯びた帯電微粒子水、および、マイナスの電荷を帯びた帯電微粒子水に代えて、プラスの電荷を帯びた荷電粒子であるプラスイオン、および、マイナスの電荷を帯びた荷電粒子であるマイナスイオンが髪に供給される。
【０１１９】
プラスイオンおよびマイナスイオンは大気を移動する過程において水分と結合するため、各イオンが髪に付着した場合に各イオンと結合している水分が併せて髪に付着する。このため、髪に付着した水分により髪に潤いが与えられる。このため、長時間にわたって使用される場合にも髪に付着する水分を増加させることができる。
【０１２０】
・変形例の第１の操作部３１によれば、風の量および風の温度に代えてまたは加えて、操作位置が切り替えられることにより出力電圧Ｅを変化させる。別の変形例によれば、風の量および風の温度に代えてまたは加えて、操作位置が切り替えられることにより第１の動作モードおよび第２の動作モードの少なくとも一方を制御部８０に実行させる。この別の変形例では、第２の操作部３２および第３の操作部３３の少なくとも一方を省略してもよい。
【０１２１】
・変形例の髪ケア装置は、ドライヤー１に代えて図２１に示されるヘアーアイロン２００である。ヘアーアイロン２００は、少なくとも荷電粒子供給部６０、電圧供給部７０、および、制御部を備える。
【０１２２】
・変形例の髪ケア装置は、ドライヤー１に代えて図２２に示されるヘアブラシ３００である。ヘアブラシ３００は、少なくとも荷電粒子供給部６０、電圧供給部７０、および、制御部を備える。
【産業上の利用可能性】
【０１２３】
本髪ケア装置は、家庭用のドライヤーをはじめとする各種の髪ケア装置に適用できる。
【符号の説明】
【０１２４】
１    ：ドライヤー
２    ：商用電源
６０  ：荷電粒子供給部
７０  ：電圧供給部
７２  ：スイッチ（スイッチ素子）
７３  ：コンデンサ
７６  ：電圧供給パネル
８０  ：制御部
２００：ヘアーアイロン
３００：ヘアブラシ
Ｅ    ：出力電圧
【図１】
0006447869.tif 000002
【図２】
0006447869.tif 000003
【図３】
0006447869.tif 000004
【図４】
0006447869.tif 000005
【図５】
0006447869.tif 000006
【図６】
0006447869.tif 000007
【図７】
0006447869.tif 000008
【図８】
0006447869.tif 000009
【図９】
0006447869.tif 000010
【図１０】
0006447869.tif 000011
【図１１】
0006447869.tif 000012
【図１２】
0006447869.tif 000013
【図１３】
0006447869.tif 000014
【図１４】
0006447869.tif 000015
【図１５】
0006447869.tif 000016
【図１６】
0006447869.tif 000017
【図１７】
0006447869.tif 000018
【図１８】
0006447869.tif 000019
【図１９】
0006447869.tif 000020
【図２０】
0006447869.tif 000021
【図２１】
0006447869.tif 000022
【図２２】
0006447869.tif 000023